(57)【要約】      （修正有）【課題】構造が精巧で、体積が小さい手動型草刈機を提供する。【解決手段】機構本体１、外殻２、手押し棒３、カッターユニット４、車輪５二つ、最少一つの伝動歯車ユニット及び最少一つの片方向クラッチ７を含む。カッターユニットは機構本体の前端に取り付けられ、カッターユニットの中央には回転軸４１を具える。車輪はそれぞれカッターユニットの回転軸の両端に取り付けられる。伝動歯車ユニットは車輪内側に設置される内歯歯車６１と、カッターユニットの回転軸に取り付けられる従動歯車６２、及び内歯歯車と従動歯車に契合する中間歯車を含む。カッターユニットの回転軸と従動歯車の間には片方向クラッチを具える。【選択図】図２
0003159771.tif 000002
【実用新案登録請求の範囲】
【請求項１】
手動型草刈機であって、
機構本体と、機構本体に覆い被さる外殻と、機構本体または外殻に結合される手押し棒と、機構本体の前端に結合されて回転することができ、中央には回転軸を具え、回転軸の両端はそれの両側から突き出して機構本体に結合するカッターユニットと、それぞれカッターユニットの回転軸両端に回転可能に結合される二つの車輪と、車輪内側に設置される内歯歯車、カッターユニットの回転軸に結合される従動歯車、及びそれぞれ内歯歯車と従動歯車に契合する二つの中間輪を含み、二つの中間輪は互いに契合する最少一つの伝動歯車ユニットと、カッターユニットの回転軸と伝動歯車ユニットの従動歯車の間に設けられる片方向クラッチとを具えることを特徴とする手動型草刈機。
【請求項２】
前記片方向クラッチは回転軸に設けられるピン孔と、従動歯車の中央に設けられる凹凸孔と、凹孔の周囲に設けられる複数個の押さえ面と、ピン孔の中に活動可能に取り付けられる弾き棒とを含み、弾き棒には端部が設けられて凹孔周囲の押さえ面を嵌め止めることができることを特徴とする請求項１記載の手動型草刈機。
【請求項３】
前記凹孔周囲の押さえ面の底辺と別の押さえ面の頂上辺の間に弧形面が延伸され、前記弾き棒の両端にはそれぞれ弧形面が設けられることを特徴とする請求項２記載の手動型草刈機。
【請求項４】
前記機構本体の前端両側にはそれぞれ軸受け座が設けられ、軸受け座の側面にはそれぞれ二つの中間輪軸及び軸受けが結合され、前記カッターユニットは二つの軸受け座の間に設置され、前記回転軸の両端にはそれぞれ軸受け座の軸受けが取り付けられ、それぞれ前記内歯歯車と前記従動歯車に契合する二つの中間輪はそれぞれ中間輪軸に結合されることを特徴とする請求項１記載の手動型草刈機。
【請求項５】
前記カッターユニットの回転軸には二つ以上のカッター固定座が結合され、二つのカッター固定座の間には二枚以上の調整及び取替え可能なカッターブレードが結合されてあることを特徴とする請求項１記載の手動型草刈機。
【請求項６】
前記外殻には球形孔が設けられ、前記手押し棒は長棒を含み、長棒の前端には球体が結合され、球体は回転可能に前記外殻の球形孔内に結合されることを特徴とする請求項１記載の手動型草刈機。
【請求項７】
前記長棒の後端には取っ手が結合されてあることを特徴とする請求項６記載の手動型草刈機。
【請求項８】
前記外殻の上面には回転可能の枢接座が結合され、前記手押し棒は長棒を含み、長棒の前端は回転可能に枢接座に結合されることを特徴とする請求項１記載の手動型草刈機。
【請求項９】
前記長棒の後端には取っ手が結合されてあることを特徴とする請求項８記載の手動型草刈機。
【請求項１０】
前記外殻上面の前端には開口が設けられ、開口には蓋が結合され、前記外殻上面の両側にはそれぞれ輪蓋が突き出して設けられることを特徴とする請求項１記載の手動型草刈機。
【考案の詳細な説明】
【技術分野】
【０００１】
本考案は草刈機に関するもので、特に人力で草刈機を押し動かして前進させ、転がる車輪は同時にカッターユニット(cutter unit)を動かして草刈の動作を行う手動型草刈機を指す。
【背景技術】
【０００２】
従来の草刈機は主として動力型草刈機、及び手動型草刈機に分けられ、動力型草刈機は草刈機にエンジン(engine)が取り付けられ、エンジンを用いてカッターユニットを回すので、使用者は芝生で草刈機を推し動かすと、自動的に草刈の動作を行うことができ、たとえ草刈機が移動しなくても、エンジン及びカッターユニットは依然運転状態を維持する。手動型草刈機はエンジン等動力源がないので、使用者が草刈機を押し動かすことを通じ、車輪または摩擦輪が芝生と摩擦して回転し、更に車輪または摩擦輪を用いて同時に草刈機底部のカッターユニットを回すので、使用者が草刈機を前へ押し動かすときだけ、カッターユニットは草刈の動作を行い、草刈機が止まっていれば、カッターユニットも回転しなくなる。
【０００３】
ところが、従来の手動型草刈機は機器内に多数本の連帯して回転する回転軸が結合され、各回転軸の間には相互に伝導する歯車が設けられ、並びに車輪及び回転軸にそれぞれ多数個の歯車が結合され、このように多数個の歯車及び回転軸の重なる伝導を通じてカッターユニットは回転し、そのために手動型草刈機の体積は大きくなり、かつそれの伝導機構も相当複雑になり、各部品も壊れやすくなって保守点検が面倒になり、製造及び保守のコスト(cost)も高くなる。また、従来の手動型草刈機はカッターの調整や交換可能の構造設計を欠き、使用者の保守の面倒になる。
【考案の概要】
【考案が解決しようとする課題】
【０００４】
本考案の主要目的は手動型草刈機の一種を提供するもので、それは機構本体、外殻、手押し棒、カッターユニット、車輪、伝動歯車ユニット及び片方向クラッチの組合せ構造設計により、手動型草刈機の伝動機構を簡略化し、手動型草刈機の構造を精巧にし、体積を小さくし、製造及び保守のコストを低減する目的を達成する。
【０００５】
本考案の次の目的は草刈機の外殻と手押し棒の組み合せ構造設計により、手押し棒は外殻に於いて方向を任意に変えることができ、操作が軽便で、押し動かしが容易な手動型草刈機の一種を提供することである。
【０００６】
本考案のもう一つの目的は草刈機のカッターユニットの構造設計により、それの調整及びカッターブレード(cutter blade)の交換ができるようにし、より実用的になる手動型草刈機の一種を提供することである。
【０００７】
本考案の更に一つの目的は草刈機の外殻の構造設計により、外殻には分離可能な蓋を具え、それによって清掃及び草刈機内部の部品の保守を便利にする手動型草刈機の一種を提供することである。
【課題を解決するための手段】
【０００８】
手動型草刈機の一種で、それは機構本体、外殻、手押し棒、カッターユニット、車輪二つ、最少一つの伝動歯車ユニット及び最少一つの片方向クラッチ(clutch)を含む。カッターユニットは機構本体の前端に取り付けられ、カッターユニットの中央には回転軸を具える。車輪はそれぞれカッターユニットの回転軸の両端に取り付けられる。伝動歯車ユニットは車輪内側に設置される内歯歯車と、カッターユニットの回転軸に取り付けられる従動歯車、及び内歯歯車と従動歯車に契合する中間歯車を含む。カッターユニットの回転軸と従動歯車の間には片方向クラッチを具え、これによって構造が精巧、体積が小さい手動型草刈機を構成する。
【考案の効果】
【０００９】
本考案の手動型草刈機が達成する効果は、伝動歯車ユニット6が内歯歯車61を用いて二つの中間輪63、64及び従動歯車62を動かす方式は、従来の多くの回転軸等を具える構造を節減することができ、カッターユニット4中央の単一回転軸41、及び伝動構造が精巧な伝動歯車ユニット6しかないので、草刈機の構造が精巧、体積が小さい、コストを低減する等効果を達成することができる。本考案の手押し棒30は球体32によって外殻2の球形孔24内で任意に方向を回転することができ、かつ枢接座25によって任意に方向を変えることができるので、特にでこぼこまたは回り角での操作に適し、更に操作が簡単及び容易に草刈機を押し動かす効果が達成される。また、本考案のカッターユニット4は取替え及び調整可能のカッターブレード43の構造設計を具え、より実用的の効果が得られる。更に、本案の外殻2には分離可能な蓋22を具え、草刈機を点検または清掃する場合、清掃便利及び内部部品の点検が容易な効果が達成される
【図面の簡単な説明】
【００１０】
【図１】本考案の組合せ立体図である。
【図２】本考案の分解立体図である。
【図３】本考案の組合せ側面図である。
【図４】本考案の組合せ断面図である。
【図５】本考案の外殻と手押し棒の別の実施例の側面図である。
【図６】本考案の外殻と手押し棒の別の実施例の立体図である。
【図７】本考案の伝動歯車ユニットの作動意表図である。
【図８】本考案の前進時の片方向クラッチの作動意表図である。
【図９】本考案の後退時の片方向クラッチの作動意表図である。
【考案を実施するための形態】
【００１１】
図１及び図２に示すように、本考案の手動型草刈機の最適具体実施例は機構本体1、外殻2、手押し棒3、カッターユニット4、車輪二つ5、最少一つの伝動歯車ユニット6、及び最少一つの片方向クラッチ7を含む。
【００１２】
機構本体1、図２、図３及び図４に示すように、それの前端両側にはそれぞれ軸受け座11が設けられ、軸受け座11の側面には二つの中間輪軸12及び軸受け13が結合され、かつ軸受け座11の内側面には軸受け13を覆う軸受けカバー(cover)14が結合され、軸受けカバー14によって泥や雑草が軸受け13に侵入しなくなり、また機構本体1の後端には調整可能な補助ローラ(roller)15が結合される。
【００１３】
外殻2、図２に示すように、それは機構本体1を覆い被さり、外殻2の上前端には開口21が設けられ、開口21には分離可能な蓋22が結合される。外殻2の上両側にはそれぞれ円弧形の輪蓋23が突き出して設けられる。また、外殻2の上面後端には手押し棒3との結合に供される球形孔24が設けられる。
【００１４】
手押し棒3、図２に示すように、それは外殻2または機構本体1に結合され、手押し棒3は円形または其の他形状の長棒31を含み、長棒31の前端には球体32が結合され、球体32は多方向自在に回転できるよう外殻2の球形孔24内に結合し、手押し棒3の後端には環状または其の他形状の取っ手33が結合され、このように使用者は片手または両手で取っ手33を握り、草刈機を押し動かすことができる。
【００１５】
カッターユニット4、図２及び図４に示すように、それは機構本体1の前端に結合し、それの中央には回転軸41を具え、回転軸41の両端はカッターユニット4の両側から突き出して機構本体1に結合される。最適具体的実施例では更にカッターユニット4は機構本体1の二つの軸受け座11の間に設置され、回転軸41の両端はそれぞれ軸受け座11の軸受け13に取り付けられ、カッターユニット4はそれによって回転する。回転軸41には二つ以上のカッター固定座42が結合され、二つのカッター固定座42の間に二枚以上の調整及び取替え可能なカッターブレード43が結合される。カッター固定座42は多辺形の板で、板の各辺にはそれぞれ固定片421が設けられ、カッターブレード43は固定片421に結合される螺旋状のブレードである。
【００１６】
車輪5、図２及び図４に示すように、それはそれぞれカッターユニット4の回転軸41の両端に結合され、外側には輪蓋51が取り付けられ、それの中央には上記カッターユニット4の回転軸41に取り付けられる軸受け52が設けられ、それによって車輪5はカッターユニット4の両端で回転することができる。
【００１７】
最少一つの伝動歯車ユニット6、図４に示すように、それは一体成型または組合せによって車輪5内側に設置される内歯歯車61と、カッターユニット4の回転軸41に結合される従動歯車62、及び内歯歯車61と従動歯車62の間に契合する二つの中間輪63、64を含み、中間輪63、64はそれぞれ回転可能に上記機構本体1の軸受け座11の中間輪軸12に結合し、かつカッターユニット4の回転軸41と従動歯車62の間に片方向クラッチ7を具える。
【００１８】
片方向クラッチ7、図２、図４及び図８に示すように、それはカッターユニット4の回転軸41を含み、それの端部に近い軸には径方向に貫通するピン(pin)孔71が設けられ、伝動歯車ユニット6の従動歯車62内側または外側中央に凹孔72が設けられ、凹孔72周囲の孔壁には二つ以上の押さえ面73が設けられ、ピン孔71中には活動可能な弾き棒74が設けられ、弾き棒74の端部は凹孔72周囲の押さえ面73に嵌め当たる。かつ凹孔72周囲の一押さえ面73の底辺と別の押さえ面73の頂上辺の間には弧形面75が延伸され、弾き棒74の両端にはそれぞれ弧形面741が設けられ、このように押さえ面73は正方向回転時だけ弾き棒74を動かし、更にカッターユニット4を回すことができ、逆に押さえ面73が逆方向回転時は弾き棒74を動かすことができない。
【００１９】
本考案の手動型草刈機の手押し棒3の別の実施例は、図５及び図６に示すように、前記外殻2の上面には外に回転可能な枢接座25が結合されてもよく、前記手押し棒3は同じく円形または其の他形状の長棒31が含まれ、長棒31の前端は回転可能に枢接座25に結合し、長棒31の後端には環状または其の他形状の取っ手33が結合され、このように使用者は同じく片手または両手で取っ手33を握り、草刈機を押し動かすことができる。
【００２０】
本考案の手動型草刈機が草刈の仕事に応用実施される場合、先ず草刈機を芝生の上に置き、使用者は手押し棒3の取っ手33を握り、草刈機を押し動かして前へ前進させる。図７に示すように、車輪5は草刈機が押し動かされて前進する過程で地面との摩擦力によって回転し、同時に伝動歯車ユニット6の内歯歯車61の二つの中間輪63、64を動かし、更に二つの中間輪63、64は同調して従動歯車62を回転させる。次に図８に示すように、従動歯車62が回転すると片方向クラッチ7の押さえ面73によって更に弾き棒74及び回転軸41を動かし、カッターユニット4は同調して動き、それによってカッターユニット4の各カッターブレード43は草刈の動作を行うことができる。また図９に示すように、逆に使用者が草刈機を後へ引いた場合、車輪5は逆方向に回転し、同時に内歯歯車61は二つの中間輪63、64と従動歯車62を逆方向に回転させ、このとき片方向クラッチ7の凹孔72周囲の弧形面75は弾き棒74の弧形面741を押し動かすことができないので、カッターユニット4は回転しなくなり、このように使用者が一つの区画内で前後に草刈機を繰り返し押し引きしても、確実に草刈の動作を達成することができる。
【符号の説明】
【００２１】
1       機構本体
11      軸受け座
12      中間輪軸
13      軸受け
14      軸受けカバー
15      補助ローラ
2       外殻
21      開口
22      蓋
23      輪蓋
24      球形孔
25      枢接座
3       手押し棒
31      長棒
32      球体
33      取っ手
4       カッターユニット
41      回転軸
42      カッター固定座
421     固定片
43      カッターブレード
5       車輪
51      輪蓋
52      軸受け
6       伝動歯車ユニット
61      内歯歯車
62      従動歯車
63、64  中間輪
7       片方向クラッチ
71      ピン孔
72      凹孔
73      押さえ面
74      弾き棒
741     弧形面
75      弧形面
【図１】
0003159771.tif 000003
【図２】
0003159771.tif 000004
【図３】
0003159771.tif 000005
【図４】
0003159771.tif 000006
【図５】
0003159771.tif 000007
【図６】
0003159771.tif 000008
【図７】
0003159771.tif 000009
【図８】
0003159771.tif 000010
【図９】
0003159771.tif 000011